(57)【要約】【課題】  本考案は、階段のステップ板について、その上面のみならず前端面も覆うことができるように弾力性の水平厚板と垂直厚板とを組み合わせるとともに、上記水平厚板の上面には多数の滑り止め用の横長厚板状凸起を一体に列設して、十分な防音効果と滑り止め効果とを得られるようにするとともに、ステップ板の鋼材部分の防食も行えるようにした階段ステップ板用吸音滑り止めカバー部材を提供することを課題とする。【解決手段】  屋外の階段のステップ板１を覆うための金属製取付板５が、弾力性のゴム材などで成型される水平厚板２の下面に固着されて、ステップ板１の前後端に対する前縁抱持部５ａおよび後縁抱持部５ｂを備える。水平厚板２の上面には多数の横長厚板状凸起４，４ａが一体に列設されて、その最前縁の凸起４ａは他の凸起４よりも前後方向のサイズを小さく設定される（ｂ＜Ｂ）。水平厚板２の前縁には垂直厚板３が一体に垂下される。【選択図】          図１
0003107056.tif 000002
【実用新案登録請求の範囲】
【請求項１】
階段のステップ板の上面に重合しうる弾力性の水平厚板と、同水平厚板の前縁に上縁を一体に接続されて上記ステップ板の前端面を覆うように垂下された弾力性の垂直厚板とを備えるとともに、上記水平厚板の上面に一体に成型されて横方向に延在する多数の滑り止め用弾力性横長厚板状凸起が前後方向に間隔をあけて互いに平行に且つ上記水平厚板と一体に列設されており、上記水平厚板の最前縁に沿う上記横長厚板状凸起の前後方向のサイズは他の上記横長厚板状凸起の前後方向のサイズよりも小さく設定されていることを特徴とする、階段ステップ板用吸音滑り止めカバー部材。
【請求項２】
上記ステップ板の上面と上記水平厚板の下面との間に介在するための水平な金属製取付板が、上記水平厚板の下面および上記垂直厚板の内面に沿って固着されており、同取付板は、上記ステップ板の前縁を抱持しうる前縁抱持部と、上記ステップ板の後縁を抱持しうる後縁抱持部とを一体に備えていることを特徴とする、請求項１に記載の階段ステップ板用吸音滑り止めカバー部材。
【考案の詳細な説明】
【技術分野】
【０００１】
本考案は、ビルやアパートの外部階段のみならず、住居内の階段にも使用可能の階段ステップ板用吸音滑り止めカバー部材に関する。
【背景技術】
【０００２】
従来、アパートなどにおける外部階段では、鋼製枠体の内部にコンクリートを打設したステップいた用いられており、新聞の配達人などが早朝に階段を駆け上がる際には、ステップ板から騒音を発生するという不具合がある。
また、降雨の際にはステプ板が滑りやすくなるほか、その鋼材部分が腐食するという不具合もある。
そこで、階段のステップ板を布製シートで覆うことが考えられるが、薄いシートでは十分な防音効果や耐久性が得られず、またシートを厚くすると、防音効果および耐久性が高められる半面、降雨の際には水を含んで却って滑りやすくなるという問題点がある。そのため、ステップ板の前縁のみに滑り止めを設けるようにすると、階段を降りる際につまずく恐れがある。
【特許文献１】特開平８−１３５１２４号公報
【特許文献２】特開２００４−２７５２６号公報
【考案の開示】
【考案が解決しようとする課題】
【０００３】
本考案は、階段のステップ板について、その上面のみならず前端面も覆うことができるように弾力性の水平厚板と垂直厚板とを組み合わせるとともに、上記水平厚板の上面には多数の滑り止め用の横長厚板状凸起を一体に列設して、十分な防音効果と滑り止め効果とを得られるようにするとともに、ステップ板の鋼材部分の防食も行えるようにした階段ステップ板用吸音滑り止めカバー部材を提供することを課題とする。
【課題を解決するための手段】
【０００４】
前述の課題を解決するため、本考案の階段ステップ板用吸音滑り止めカバー部材は、階段のステップ板の上面に重合しうる弾力性の水平厚板と、同水平厚板の前縁に上縁を一体に接続されて上記ステップ板の前端面を覆うように垂下された弾力性の垂直厚板とを備えるとともに、上記水平厚板の上面に一体に成型されて横方向に延在する多数の滑り止め用弾力性横長厚板状凸起が前後方向に間隔をあけて互いに平行に且つ上記水平厚板と一体に列設されており、上記水平厚板の最前縁に沿う上記横長厚板状凸起の前後方向のサイズは他の上記横長厚板状凸起の前後方向のサイズよりも小さく設定されていることを特徴としている。
【０００５】
また、本考案の階段ステップ板用吸音滑り止めカバー部材は、上記ステップ板の上面と上記水平厚板の下面との間に介在するための水平な金属製取付板が、上記水平厚板の下面に沿って固着されており、同取付板は、上記ステップ板の前縁を抱持しうる前縁抱持部と、上記ステップ板の後縁を抱持しうる後縁抱持部とを一体に備えていることを特徴としている。
【考案の効果】
【０００６】
上述の本考案の階段ステップ板用吸音滑り止めカバー部材では、階段のステップ板の上面がゴム材や軟質プラスチック材などで形成される弾力性の水平厚板で覆われるのみならず、同ステップ板の前端面も弾力性の垂直厚板で覆われるので、階段を昇降する際の騒音が十分に防止されるほか、上記水平厚板の上面は同水平厚板と一体に成型されて横方向に延在する多数の弾力性横長厚板状凸起が前後方向に間隔をあけて列設され、しかも最前縁に沿う上記横長厚板状凸起の前後方向のサイズは他の上記横長厚板状凸起の前後方向のサイズよりも小さく設定されているので、階段を昇降する際の滑り止め効果も十分得られるようになる。
【０００７】
また、上述の本考案のカバー部材を階段のステップ板に装着する際には、まず上記取付板の前端抱持部でステップ板の前端を抱持してから、同取付板の後端抱持部を上記ステップ板の後端にあてがい装着するようにして、容易に取り付け作業を行うことができる。
このようにして、ステップ板が十分に覆われることにより、降雨の際の防水作用が行われ、その鋼材部分の防食効果も得られるようになる。
【考案を実施するための最良の形態】
【０００８】
階段のステップ板の上面に重合される弾力性の水平厚板ならびに同水平厚板と一体の垂直厚板および横長厚板状凸起の材質としては、ゴム材やゴム材にビニールを２０％程度混ぜ合わせたものが採用されるが、太陽光を受ける外部階段に用いられる場合には、紫外線に耐える弾力性素材が選択される。
また、住宅の内部の階段に施工する際には、金属製取付板は不要であり、上記の弾力性の水平厚板，垂直厚板および横長厚板状凸起の材質としては明るい色の素材が選択される。
さらに、夜間の使用に備えて、最前縁の横長厚板状凸起と次の横長厚板状凸起との間の谷間に、目立ちやすい黄色系などの蛍光テープや発光性塗料のごとき標識を施して、ステップ板前縁部の位置表示を行うことが望ましい。
【実施例】
【０００９】
図１は本考案の一実施例としての階段ステップ板用吸音滑り止めカバー部材の階段への取付け状態を示す斜視図である。
図１に示すように、階段のステップ板１の上面に重合しうる弾力性の水平厚板２には、その前縁２ａにおいて、弾力性の垂直厚板３の上縁３ａが一体に接続成型されており、このようにして垂直厚板３はステップ板１の前端面を覆う機能を有している。
【００１０】
また、水平厚板２の上面には、同水平厚板２と一体に成型されて横方向に延在する多数の滑り止め用弾力性横長厚板状凸起４，４ａが前後方向に間隔ｄをあけて互いに平行に且つ水平厚板２と一体に列設されている。
そして、水平厚板２の最前縁に沿う横長厚板状凸起４ａの前後方向のサイズｂは他の横長厚板状凸起４の前後方向のサイズＢよりも小さく設定されており、最前縁の凸起４ａと次の凸起４との間の谷間には、黄色系などの蛍光テープ６が装着されている。
【００１１】
さらに、ステップ板１の上面と水平厚板２の下面との間に介在するための水平な金属製取付板５が、水平厚板２の下面および垂直厚板３の内面に沿って固着されており、同取付板５は、ステップ板１の前縁を抱持しうる前縁抱持部５ａと、ステップ板１の後縁を抱持しうる後縁抱持部５ｂとを一体に備えている。
【００１２】
なお、一体に成型される弾力性の水平厚板２，垂直厚板３および横長厚板状凸起４，４ａは、ゴム材などの弾力性素材で形成されるが、弾力性の軟質プラスチック材を用いるようにしてもよい。
【００１３】
上述の本実施例の階段ステップ板用吸音滑り止めカバー部材Ａが採用されると、階段のステップ板１の上面がゴム材や軟質プラスチック材などで形成される弾力性の水平厚板２で覆われるのみならず、同ステップ板１の前端面も弾力性の垂直厚板３で覆われるので、階段を昇降する際の騒音が十分に防止されるほか、水平厚板２の上面には同水平厚板２と一体に成型されて横方向に延在する多数の弾力性横長厚板状凸起４，４ａが前後方向に間隔ｄをあけて列設され、しかも最前縁に沿う横長厚板状凸起４ａの前後方向のサイズｂは他の上記横長厚板状凸起４の前後方向のサイズＢよりも小さく設定されているので、階段を昇降する際の滑り止め効果も十分得られるようになる。
【００１４】
また、上述のカバー部材Ａを階段のステップ板１に装着する際には、まず取付板５の前端抱持部５ａでステップ板１の前端を抱持してから、同取付板５の後端抱持部５ｂをステップ板１の後端にあてがい装着するようにして、容易に取り付け作業を行うことができる。
【００１５】
このようにして、ステップ板１が十分に覆われることにより、降雨の際の防水作用が行われ、その鋼材部分の防食効果も得られるようになる。
【産業上の利用可能性】
【００１６】
本考案の階段ステップ板用吸音滑り止めカバー部材は、主として屋外階段のステップ板を覆うために用いられるが、住居内の階段にも防音および滑り止めのために用いることが可能であり、その場合は金属製取付板は不要になる。また、梯子のステップ板にも、本考案のカバー部分を用いることができる。
【図面の簡単な説明】
【００１７】
【図１】本考案の一実施例としての階段ステップ板用吸音滑り止めカバー部材を示す斜視図である。
【符号の説明】
【００１８】
１  ステップ板
２  水平厚板
２ａ  水平厚板前縁
３  垂直厚板
３ａ  垂直厚板上縁
４  横長厚板状凸起
４ａ  最前縁横長厚板状凸起
５  金属製取付板
５ａ  前縁抱持部
５ｂ  後縁抱持部
６  蛍光テープ
Ａ  カバー部材
Ｂ，ｂ  前後方向サイズ
ｄ  間隔
【図１】
0003107056.tif 000003